(57)【要約】      （修正有）【課題】複数の用途を有する積みブロックの提供。【解決手段】積みブロック１００は、平面視Ｈ形状の柱状形状を有している。積みブロック１００は、所定の型枠を用いて、コンクリートにより一体的に形成される。積みブロック１００は、谷積みにも、布積みにもできる。また、積みブロック１００は、隙間なく平面状に配置できる。積みブロック１００を平面状に配置することによって、容易に平面を形成することができる。整地されていない道路上に積みブロック１００を平面状に配置することによって、容易に道路を整地することができる。このため、災害等によって、道路が荒れてしまっても、容易に荒れた道路を整地できる。【選択図】図８
2020026648.tif 000002
【特許請求の範囲】
【請求項１】
平行に位置する第１壁部と第２壁部、及び、平行に位置する前記第１壁部、及び、前記第２壁部との間で、前記第１壁部、及び、前記第２壁部に接続する連結部を有する積みブロックであって、
前記連結部の控え方向長さは、
前記第１壁部の控え方向長さと前記第２壁部の控え方向長さとの合計に等しいこと、
特徴とする積みブロック。
【請求項２】
請求項１に係る積みブロックにおいて、
前記第１壁部の高さ方向長さ、前記第２壁部の高さ方向長さ、及び、前記連結部の高さ方向長さが等しいこと、
を特徴とする積みブロック。
【請求項３】
請求項１又は請求項２に係る積みブロックにおいて、
前記第１壁部の控え方向長さと前記第２壁部の控え方向長さとが等しいこと、
を特徴とする積みブロック。
【請求項４】
請求項１?請求項３に係るいずれかの積みブロックにおいて、
コンクリートにより形成されていること、
を特徴とする積みブロック。
【請求項５】
請求項１?請求項３に係るいずれかの積みブロックにおいて、
木質材料、石炭灰、及び／又は、溶融スラグを用いて形成されていること、
を特徴とする積みブロック。
【発明の詳細な説明】
【技術分野】
【０００１】
本発明は、積みブロックに関し、特に、複数の用途を有するものに関する。
【背景技術】
【０００２】
従来の石積みブロックについて、図１５?図１９に示すブロックＢを用いて説明する。図１５に示すブロックＢは、長方形板状の第一壁部１と、長方形板状の第二壁部２と、それらの内側中央を連結する直方体状の連結部３と、第一壁部１の一辺内側から連結部３に連なって外側へ延在する第一嵌合突起４１と、第二壁部２の一辺内側から連結部３に連なって外側へ延在する第二嵌合突起４２とからなる。なお、第一嵌合突起４１と第二嵌合突起４２の間には、上下方向に貫通した断面方形状の溝からなる開溝部４３が形成されている。
【０００３】
連結部３、第一嵌合突起４１および第二嵌合突起４２は、上下面が連続した一体的な面で構成されている。それらの上下方向の長さ（高さ）は第一壁部１および第二壁部２よりも短く、上下方向に関して第一壁部１および第二壁部２の内側に均等に収まっている。
【０００４】
連結部３は、第一壁部１および第二壁部２の中央右側寄りに配置されている。第一嵌合突起４１および第二嵌合突起４２は、それぞれ、連結部３の右端側から第一壁部１および第二壁部の内側に右方向へ延在し、第一壁部１および第二壁部の右端面（右合端）から突出している。
【０００５】
連結部３、第一嵌合突起４１および第二嵌合突起４２と、第一壁部１および第二壁部２との接続部分には隅面取が形成されている。また、それら隅面取に対応する角面取が、第一嵌合突起４１および第二嵌合突起４２の上下方向に延在する外側角部にも形成されている。
【０００６】
図１６Ｂに示すように、第一嵌合突起４１および第二嵌合突起４２が第一壁部１および第二壁部２の右端面から突き出した長さを突出量ｔ、連結部３、第一嵌合突起４１および第二嵌合突起４２の上下面が第一壁部１および第二壁部２の上下端面（上下合端）から窪んだ長さを窪み量ｄとする。本実施例に係るブロックＢでは、突出量ｔと窪み量ｄがほぼ等しいか、または窪み量ｄが突出量ｔより若干大きくなっている。
【０００７】
このブロックＢを谷積みした様子を図１７Ａに、その中央断面図を図１７Ｂに示した。本実施例のブロックＢを用いると、第一嵌合突起４１および第二嵌合突起４２が、第一壁部１と第二壁部２の間にできる嵌合空間Ｆに嵌合した状態で係合し、各ブロックＢが安定的に積層されることがわかる。
【０００８】
また図１６Ｂから明らかなように、積み重ねられたブロックＢの内側には連続した大きな連通空間（ハッチング部分以外）が形成されており、胴込めコンクリートが上方から下方へ流れ込む導入路が十分に確保されることもわかる。また図１７Ｂに示すように、鉄筋等の補強材Ｓを、積み重ねたブロックＢからなる連通空間に真っ直ぐに挿入することも容易である。
【０００９】
ブロックＢは、擁壁等の施工現場で従来と同様の工法で一段ずつ積み重ねることができる。もっとも、例えば、図１８に示すように、多数のブロックＢを工場や別の作業場で予め積み重ねておき、その中央外周にロープＲを係回して、結束した一単位として取り扱うこともできる。なお、第一壁部１と第二壁部２の間に形成される嵌合空間と開溝部４３にロープＲを嵌めることにより、ロープＲの脱抜等を防止して、積み重ねたブロックＢを強固に安定して結束できる。
【００１０】
このような結束された多数のブロックＢをそのまま施工現場に搬入、設置等した後、コンクリートを打設等すれば、擁壁の構築等を短期間で行うことができ、施工コストや工期を大幅に削減できる。また多数のブロックＢの結束は現場以外で可能なため、悪天候による工期の遅延等も抑制できる。
【００１１】
これまでブロックＢを谷積みする場合について説明したが、図１９に示すようにブロックＢを布積み等することも勿論可能である。この場合も、図１８に示すように布積みした多数のブロックＢにロープＲを係回し結束して施工現場へ搬入することができる（以上、特許文献１参照）。
【先行技術文献】
【特許文献】
【００１２】
【特許文献１】特開２０１３−２３８０５６号公報
【発明の概要】
【発明が解決しようとする課題】
【００１３】
前述の積みブロックＢには、以下に示すような改善すべき点がある。ブロックＢでは、谷積み、布積み等、積むことによって構築物を形成できるが、それ以外の使用方法が存在せず、用途が限定的である、という改善すべき点がある。
【００１４】
そこで、本発明は、複数の用途が存在する積みブロックを提供することを目的とする。
【発明の効果】
【００１５】
本発明における課題を解決するための手段及び発明の効果を以下に示す。
【００１６】
本発明に係る積みブロックは、平行に位置する第１壁部と第２壁部、及び、平行に位置する前記第１壁部、及び、前記第２壁部との間で、前記第１壁部、及び、前記第２壁部に接続する連結部を有する積みブロックであって、前記連結部の控え方向長さは、前記第１壁部の控え方向長さと前記第２壁部の控え方向長さとの合計に等しいこと、特徴とする。
【００１７】
これにより、積みブロックを、谷積み、布積み等の従来型の積み方で積むだけでなく、１つの積みブロックの第１壁部と他の１つの第２壁部とを合わせた合成凸部を、もう一つの積みブロックの第１壁部、第２壁部、及び、連結部で形成される凹部に隙間無く平面状に配置することができる。つまり、複数の積みブロックを平面状に隙間無く配置できるので、道路の舗装等、平面を施工する際にも使用できる。
【００１８】
本発明に係る積みブロックでは、前記第１壁部の高さ方向長さ、前記第２壁部の高さ方向長さ、及び、前記連結部の高さ方向長さが等しいこと、を特徴とする。
【００１９】
これにより、積みブロックを平面状に配置する際に、容易に平面を形成することができる。
【００２０】
本発明に係る積みブロックでは、前記第１壁部の控え方向長さと前記第２壁部の控え方向長さとが等しいこと、を特徴とする。
【００２１】
これにより、積みブロックを対称に形成できるので、第１壁部と第２壁部とを区別することなく容易に取り扱うことができる。
【００２２】
本発明に係る積みブロックでは、コンクリートにより形成されていること、を特徴とする。
【００２３】
これにより、コンクリートを用いて、平面状にも配置できる積みブロックを容易に形成できる。
【００２４】
本発明に係る積みブロックでは、木質材料、石炭灰、及び／又は、溶融スラグにより形成されていること、を特徴とする。
【００２５】
これにより、木質材料、石炭灰、及び／又は、溶融スラグを用いて、平面状にも配置できる積みブロックを容易に形成できる。つまり、環境に配慮した積みブロックを形成できる。
【図面の簡単な説明】
【００２６】
【図１】本発明に係る積みブロックの一実施例である積みブロック１００を示す斜視図である。
【図２】積みブロック１００を示す正面図である。
【図３】積みブロック１００を示す右側面図である。
【図４】積みブロック１００の平面図である。
【図５】谷積みした積みブロック１００を示す図である。
【図６】谷積みした積みブロック１００の断面を示す図である。
【図７】布積みした積みブロック１００を示す図である。
【図８】平面状に配置した積みブロック１００を示す図である。
【図９】平面状に立体的に配置した積みブロック１００を示す図である。
【図１０】平面状に立体的に配置した積みブロック１００を示す図である。
【図１１】垂直に階段状に配置した積みブロック１００を示す図である。
【図１２】垂直状に配置した積みブロック１００を示す図である。
【図１３】垂直に湾曲状に配置した積みブロック１００を示す図である。
【図１４】単位ブロックＢ１００を示す図である。
【図１５】従来の積みブロックを示す図である。
【図１６】従来の積みブロックを示す図である。
【図１７】従来の積みブロックを示す図である。
【図１８】従来の積みブロックを示す図である。
【図１９】従来の積みブロックを示す図である。
【発明を実施するための形態】
【００２７】
以下、本発明の実施例について、図面を参照しながら詳細に説明していく。
【実施例１】
【００２８】
本発明に係る積みブロックの一実施形態である積みブロック１００について、図１〜図４を用いて説明する。図１は積みブロック１００の斜視図を、図２は積みブロック１００の正面図を、図３は積みブロック１００の右側面図を、図４は積みブロック１００の平面図を、それぞれ示す。なお、積みブロック１００において、背面図は正面図と、左側面図は右側面図と、底面図は正面図と、それぞれ同様となる。積みブロック１００は、コンクリートによって形成されている。積みブロック１００は、例えば、河川の護岸工事における斜面の法覆工に用いられる。
【００２９】
１．積みブロック１００の構成
図１に示すように、積みブロック１００は、平面視Ｈ形状（図４参照）の柱状形状を有している。積みブロック１００は、所定の型枠を用いて、コンクリートにより一体的に形成される。積みブロック１００の大きさについては、施工対象等によって、適宜、決定すればよい。なお、積みブロックについては、ＪＩＳ規格（プレキャスト無筋コンクリート製品／ＪＩＳ  Ａ５３７１）において規格化もされている。積みブロック１００は、第１壁部１０１、第２壁部１０３、及び、連結部１０５を有している。
【００３０】
図２〜図４に示すように、第１壁部１０１は、幅方向長さＷ１、高さ方向長さＨ、控え方向長さＤ１の直方体形状を有している。また、第２壁部１０３は、幅方向長さＷ１、高さ方向長さＨ、控え方向長さＤ３の直方体形状を有している第２壁部１０３は、第１壁部１０１と同形状を有している。つまり、第１壁部１０１の控え方向長さＤ１と、第２壁部１０３の控え方向長さＤ３とは等しい。これにより、第１壁部１０１と第２壁部１０３とを区別無く取り扱うことができる。なお、第１壁部１０１と第２壁部１０３とは、平行に配置されている。
【００３１】
図２〜図４に示すように、連結部１０５は、幅方向長さＷ５、高さ方向長さＨ、控え方向長さＤ５の直方体形状を有している。連結部１０５は、平行に配置された第１壁部１０１、第２壁部１０３、それぞれの中央を連結するように配置される。
【００３２】
図３に示すように、連結部１０５は、第１壁部１０１、第２壁部１０３と同じ高さ方向長さＨを有している。つまり、連結部１０５の上側の端面は、第１壁部１０１の上側の端面、及び、第２壁部１０３の上側の面端と面一となるように形成されている。連結部１０５の下側の端面についても同様に、第１壁部１０１の下側の端面、第２壁部１０３の下側の端面と面一となるように形成されている。
【００３３】
連結部１０５の控え方向長さＤ５は、第１壁部１０１の控え方向長さＤ１と第２壁部１０３の控え方向長さＤ３との合計に等しい。積みブロック１００では、第１壁部１０１の控え方向長さＤ１と第２壁部１０３の控え方向長さＤ３とが等しいため、連結部１０５の控え方向長さＤ５は、第１壁部１０１の控え方向長さＤ１の２倍となる。
【００３４】
図１に示すように、第１壁部１０１、第２壁部１０３、及び、連結部１０５によって、連結部１０５を中心に、凹部１０７、１０９が対向して対称に形成される。
【００３５】
２．使用方法
以下に、積みブロック１００の使用例を示す。
【００３６】
（１）谷積み
積みブロック１００を谷積みした状態の斜視図を図５に示す。また、図６に示すように、谷積みした積みブロック１００の内部には凹部１０７が位置する。内部に位置する凹部１０７に所定の接着物、例えばコンクリートを流し込むことによって、谷積みした積みブロック１００を強固に一体化できる。
【００３７】
（２）布積み
積みブロック１００を布積みした状態の斜視図を図７に示す。布積みした積みブロック１００の内部にも、凹部１０７が位置する。内部に位置する凹部１０７に所定の接着物、例えばコンクリートを流し込むことによって、布積みした積みブロック１００を強固に一体化できる。
【００３８】
（３）平面状配置、垂直状配置
積みブロック１００を平面状に配置した状態の斜視図を図８に示す。積みブロック１００では、第１壁部１０１、第２壁部１０３、及び、連結部１０５によって形成されるＨ形状の端面が平面状に形成される（図３参照）。このため、２つの積みブロック１００を、１つの積みブロック１００の第１壁部１０１の正面と、もう１つの積みブロック１００の第２壁部１０３の背面とを合わせるように配置して１つの合成凸部１０９を形成し、形成した合成凸部１０９に、３つ目の積みブロック１００の凹部１０７を嵌合させるように、それぞれの積みブロック１００を配置する。なお、連結部１０５の控え方向長さＤ５は、第１壁部１０１の控え方向長さＤ１と第２壁部１０３の控え方向長さＤ３との合計に等しいため、３つの積みブロック１００は、隙間なく平面状に配置される。このように、積みブロック１００を平面状に配置することによって、容易に平面を形成することができる。
【００３９】
整地されていない道路上に積みブロック１００を平面状に配置することによって、容易に道路を整地することができる。このため、災害等によって、道路が荒れてしまっても、容易に荒れた道路を整地できる。また、アスファルトを形成することによって道路を整地する場合、所定の施工期間が必要となる一方、積みブロック１００によって道路を整地する場合は、積みブロック１００を平面状に配置するだけで施工が完了するため、短期間で施工できる。
【００４０】
また、図９に示すように、平面状に配置した積みブロック１００を鉛直方向に層状に配置したり、図１０に示すように、鉛直方向に階段状に層状に配置したりすることによって、立体的な構築物を容易に形成できる。構築した立体的な構築物を、海中に設置することによって、短期間で、容易な施工で、漁場を形成できる。
【００４１】
積みブロック１００を垂直状に配置する場合、図１１に示すように、階段状に垂直に配置した積みブロック１００を、横方向に、複数、配置することによって、階段状の構築物を、短期間で、容易な施工で形成できる。形成した階段状の構築物を、河川や港湾の護岸形成に用いることによって、法面を容易に形成できる。
【００４２】
図１２に示すように、積みブロック１００を垂直状に配置した場合、対象物を挟持可能な重機、例えばグラップルを備えた建設機械によって、バランスを取ることができる積みブロック１００を挟持し、引き上げることによって、合成凸部１０９と凹部１０７とがしっかりと嵌合しているため、垂直状に配置した積みブロック１００を一体として移動させることができる。
【００４３】
さらに、図１３に示すように、積みブロック１００を垂直状に配置した場合、鉛直状に位置する積みブロック１００を所定の軸を中心に回転させることによって、曲線形状の壁状構造物を容易に形成することができる。例えば、曲線形状の壁状構造物によって堤防を容易に形成でき、また、海中に中空円筒状構造物を配置することによって、容易に漁場を形成することができる。
【００４４】
（４）単位ブロックの形成
積みブロック１００を谷積み、布積み、平面状、垂直状に配置する場合、いずれも施工現場にて、従来と同様の工法で一段ずつ積み重ねることによって施工できる。一方、例えば、図１４に示すように、複数の積みブロック１００を工場や別の作業場で谷積みしておき、その中央外周にワイヤーロープ、ベルトロープ等、所定の強度を有する緊縛材Ｒを巻回して、結束し、単位ブロックＢ１００を形成できる。なお、第１壁部１０１と第２壁部１０３との間に形成される凹部１０７にロープＲを配置できるので、緊縛材Ｒの脱抜を防止し、単位ブロックＢ１００を強固に安定して結束できる。
【００４５】
単位ブロックＢ１００を施工現場に搬入し、所定の施工をすることによって、施工期間を短縮でき、また、施工コストを削減できる。また多、単位ブロックＢ１００の形成は施工現場以外でもできるため、悪天候による工期の遅延等も抑制できる。なお、他の積み方についても同様である。
【００４６】
［その他の実施形態］
（１）積みブロック１００の材料：前述の実施例１においては、積みブロック１００はコンクリートにより形成されるとしたが、所定の形状を維持できるものであれば例示のものに限定されない。例えば、積みブロックを木材、木材チップ、間伐材等、木質材料によって形成するようにしてもよい。木質材料を用いることによって、環境に配慮した、また、人に優しい積みブロックを形成することができる。また、発泡スチロール等の樹脂材、繊維強化プラスチック等の複合材等、形状を維持し、所定の強度を有する材料によって形成するようにしても良い。さらに、石炭灰、溶融スラグ等のリサイクル材や、リサイクル材を骨材としたコンクリートによって、積みブロックを形成するようにしても良い。
【００４７】
（２）凹部１０７の形状：前述の実施例１において、凹部１０７を形成する第１壁部１０１、第２壁部１０３の部分に、テーパを形成するようにしてもよい。これにより、勘合させた合成凸部１０９（図８参照）と凹部１０７とを外れにくくすることができる。
【００４８】
（３）第１壁部１０１、第２壁部１０３、連結部１０５の控え方向長さ：前述の実施例１においては、第１壁部１０１と第２壁部１０３との控え方向長さが等しく、連結部１０５の控え方向長さＤ５は、第１壁部１０１の控え方向長さＤ１の２倍としたが、連結部１０５の控え方向長さＤ５が、第１壁部１０１の控え方向長さＤ１と第２壁部１０３の控え方向長さＤ３との合計であれば、例示のものに限定されない。例えば、第２壁部１０３の控え方向長さが第１壁部１０１の控え方向長さの半分とし、連結部１０５の控え方向長さＤ５を、第１壁部１０１の控え方向長さＤ１の１．５倍にしてもよい。
【００４９】
（４）第１壁部１０１、第２壁部１０３、連結部１０５の高さ方向長さ：前述の実施例１においては、第１壁部１０１、第２壁部１０３、及び、連結部１０５の高さ方向長さは等しいとしたが、積みブロックを平面状に配置した際に、第１壁部１０１、第２壁部１０３、及び、連結部１０５によって形成される端面によって平面と同等の面が形成されるものであれば、例示のものに限定されない。例えば、第１壁部１０１、及び、第２壁部１０３に対して、連結部１０５の高さ方向長さが短くなるようにしてもよい。
【産業上の利用可能性】
【００５０】
本発明に係る積みブロックは、例えば、大型、小型を問わず、積み張り、盛土補強の法覆工や道路の舗装、及び、建築用波消しブロックに用いることができる。
【符号の説明】
【００５１】
１００      積みブロック
１０１      第１壁部
１０３      第２壁部
１０５      連結部
１０７      凹部
１０９      合成凸部
Ｂ１００      単位ブロック
【図１】
2020026648.tif 000003
【図２】
2020026648.tif 000004
【図３】
2020026648.tif 000005
【図４】
2020026648.tif 000006
【図５】
2020026648.tif 000007
【図６】
2020026648.tif 000008
【図７】
2020026648.tif 000009
【図８】
2020026648.tif 000010
【図９】
2020026648.tif 000011
【図１０】
2020026648.tif 000012
【図１１】
2020026648.tif 000013
【図１２】
2020026648.tif 000014
【図１３】
2020026648.tif 000015
【図１４】
2020026648.tif 000016
【図１５】
2020026648.tif 000017
【図１６】
2020026648.tif 000018
【図１７】
2020026648.tif 000019
【図１８】
2020026648.tif 000020
【図１９】
2020026648.tif 000021